(57)【要約】      （修正有）【解決手段】吸入吸盤であって、外側は円形又は、箱型形の硬質カバー２を有し、内側に柔軟性のある吸盤３が設けられ、前記吸盤３の背面に連結杆４が突設され、前記硬質カバー２に設けた孔５から先端が露出した前記連結杆４には連結ピン６によりカム片７を有するフック体８が起倒自在に軸着され、前記硬質カバー２の外周縁部には吊り下げ片９が設けられている。【効果】起倒自在のフック体８を回動することにより、前記フック体８のカム片７前側に固着した棒状アーム１２は壁面に垂直の状態となって、前記棒状アーム１２に有したフック１３や、前記棒状アーム１２の先端に空いた孔１６は壁面１から遠く離れて物を吊る空間を確保することができる。【選択図】図４
0003114357.tif 000002
【実用新案登録請求の範囲】
【請求項１】
壁面に物を吊るす吸入吸盤であって、外側は円形又は、箱型形の硬質カバーを有し、内側に柔軟性のある吸盤が設けられ、前記吸盤の背面に連結杆が突設され、前記硬質カバーに設けた孔から先端が露出した前記連結杆には連結ピンによりカム片を有するフック体が起倒自在に軸着され、前記硬質カバーの外周縁部には吊り下げ片が設けられたことを特徴とする吸盤付物掛け具。
【請求項２】
前記請求項１記載の吸盤付物掛け具において、前記連結杆の先部に連結ピンを介して起倒自在に軸着されたフック体のカム片前側に棒状のアームが固着され、前記棒状アームはフックを有し、前記棒状アームの上側に凸片及び／又は、受け皿を有していることを特徴とする吸盤付物掛け具。
【考案の詳細な説明】
【技術分野】
【０００１】
本考案は、表面が平滑でないクロス壁又は、凹凸のあるコンクリート壁など表面が凸凹で吸盤が密着できない壁面などにおいても、吸入吸盤の硬質カバー外周縁部に吊り下げ片を設け、前記吸入吸盤の連結杆の先部に連結ピンを介して起倒自在に軸着されたフック体のカム片前側に棒状のアームを固着することにより、壁面に打ち付けた釘又はフックを前記吸入吸盤の硬質カバー外周縁部
に設けた吊り下げ片に通し、前記吸入吸盤の起倒自在に軸着されたフック体を回動して、前記吸入吸盤を壁面に対し吸着の状態にした時、前記吸入吸盤のフック体のカム片前側に固着した棒状アームが壁面に垂直になり、前記棒状のアームに有したフックや、前記棒状のアーム先端に形成された孔が壁面を離れて物を吊る空間を確保する吸盤付物掛け具に関するものである。
【背景技術】
【０００２】
従来吸入吸盤とは、外側は円形又は、箱型形の硬質カバーを有し、内側に柔軟性のある吸盤が設けられ、吸盤の背面に連結杆が突設され、前記硬質カバーに設けた孔から先端が露出した前記連結杆には連結ピンによりフック体が起倒自在に軸着され、前記フック体を回動させることにより前記吸盤が、表面が平滑な物品に密着され強力に吸着される器具である。
また、普通の吸盤とは、半球形で柔軟性のある材質で構成され、壁面などに押し付けることにより表面が平滑な物品に密着し吸着させる器具である。
従来の吸盤付物掛け具は、タイルやガラス、金属など表面が平滑で吸盤が密着する物品には吸着するが、クロス壁やコンクリート壁など表面が凸凹で吸盤が密着できない物品には吸着できなかった。
さらに、従来の吸盤付物掛け具は、物を吊る箇所が吸盤に設けられたフックのみであるため、壁面から遠く離れた空間を利用できなかった。
（例えば、特許文献１参照）
【０００３】
従来の吸盤付物掛け具として、吸入吸盤の外側硬質カバー周縁裾部に圧接可能な環状凸部を形成することにより吸盤体の周縁部からの空気進入を仰制し、これにより吸着作用が継続して良好に行われるものはあったが、クロス壁やコンクリート壁など表面が凸凹で吸盤が密着できない物品には吸着できなかった。
（例えば、特許文献２参照）
【０００４】
【特許文献１】実公  昭４９−１１６９７号公報
【特許文献２】実登  ２５６８４５３号公報
【考案の開示】
【考案が解決しようとする課題】
【０００５】
従来の吸盤又は、吸入吸盤は、タイルやガラス、金属など表面が平滑で吸盤が密着する物品では吸着するが、表面が凸凹で吸盤が密着出来ない物品では吸着できず、又、表面が平滑で吸盤が密着する物品で吸盤が吸着している場合においても、長時間吸着していると、吸盤体の周縁部からの空気進入を起こし吸盤が壁面などから剥がれ落ちる不便さがあり、さらに、前記従来の吸盤付物掛け具は吸盤に設けられたフックのみに物が吊るすことが出来、前記吸盤に設けられたフック以外に壁面から離れて物を吊る空間がなかった不便さを解決しょうとするものである。
【課題を解決するための手段】
【０００６】
前記の課題を解決するため、本考案は壁面に物を吊るす吸入吸盤であって、外側は円形又は、箱型形の硬質カバーを有し、内側に柔軟性のある吸盤が設けられ、前記吸盤の背面に連結杆が突設され、前記硬質カバーに設けた孔から先端が露出した前記連結杆には連結ピンによりカム片を有するフック体が起倒自在に軸着され、前記硬質カバーの外周縁部には吊り下げ片が設けられた吸盤付物掛け具であり、前記連結杆の先部に連結ピンを介して起倒自在に軸着されたフック体のカム片前側に棒状のアームが固着され、前記棒状アームはフックを有し、前記棒状アームの上側に凸片及び／又は、受け皿を有しても良い。
【０００７】
前記棒状アームに有するフックは複数個でも良く、また、前記棒状アームに形成された凸片及び／又は、受け皿は複数個でも良い。
且つ、前記棒状アームの先端部には物を通す孔を形成しても良く、さらに、前記棒状アーム先端に形成された孔には切れ目を入れても良い。
また、アームの形状は棒状だけでなく曲線状であっても良い。
【考案の効果】
【０００８】
本考案の吸盤付物掛け具は吸入吸盤の硬質カバー外周縁部に吊り下げ片を設けているので、壁面などに釘やフックを打ち付けて前記硬質カバー外周縁部の吊り下げ片に前記釘やフックを通すことにより、従来不可能であった表面に凸凹があるクロス張り壁、板壁、コンクリート壁など吸盤が密着して吸着できない壁面などの物品での使用が可能となり、
且つ、前記吸入吸盤のフック体のカム片前側に棒状のアームを固着した部分には、フックを有し、前記棒状アームの上側に凸片や、受け皿を形成しているので、本考案の吸盤付物掛け具を壁面に複数個並列に設置し、前記棒状アームの上側に形成された凸片や、受け皿に物干し竿を乗せることで壁面から遠く離れて多くの物を吊り下げる空間を確保することが可能となった。
【０００９】
なお、本考案の吸盤付物掛け具はタイルやガラス、金属など表面が平滑で吸盤を吸着できる物品においても、長時間吸着していると、いつの間にか吸盤体の周縁部からの空気進入を起こし吸盤が壁面などから剥がれ落ちることがあるのを防ぐため、前記吸入吸盤の硬質カバー外周縁部に設けられた吊り下げ片に壁面に打ち付けられたフックや釘などを通し補助的役割として使用しても良い。
また、本考案の吸盤付物掛け具は上記の様に最小の部品点数で安価に提供することを実現した。
【考案を実施するための最良の形態】
【００１０】
以下、本考案の実施の形態を実施例となる添付図面に従って説明する。
図１は本考案吸盤付物掛け具の吸入吸盤の硬質カバー外周縁部に設けられた
吊り下げ片の硬質カバー部分の斜視図であり、図２は本考案の実施例となる吸盤付物掛け具の平面図である。
本考案は壁面に物を吊るす吸入吸盤であって、外側は円形又は、箱型形の硬質カバー２を有し、内側に柔軟性のある吸盤３が設けられ、前記吸盤３の背面に連結杆４が突設され、前記硬質カバー２に設けた孔５から先端が露出した前記連結杆４には連結ピン６によりカム片７を有するフック体８が起倒自在に軸着され、前記硬質カバー２の外周縁部には吊り下げ片９が設けられている。
【００１１】
材質はプラスチックや合成樹脂、金属を用いるので極めて低廉に製造することが出来る。
吸入吸盤の硬質カバー２の外周縁部に設けられた吊り下げ片９の一例を示すと、横幅が３０ｍｍ、縦幅が２０ｍｍ、厚さ３ｍｍ、壁面１に打ち付けられた釘やフック１１を通す溝や孔１０の溝は幅３ｍｍ、長さ１３ｍｍ、孔は直径４ｍｍ程度あれば良く、壁面１に打ち付けられたフックや釘１１などを前記吊り下げ片９に通し易くするため壁面１と前記吊り下げ片９との間に隙間を空けるように前記吸入吸盤の硬質カバー２の外周縁部に設けられた吊り下げ片９は、前記吸入吸盤の硬質カバー２の外周縁部の上側に沿って形成されている。
【００１２】
図３は、本考案の実施例となる吸盤付物掛け具の使用例側面図、図４は本考
案の他の実施例の棒状のアーム使用例図である。
吸入吸盤のフック体８のカム片７前側に固着した棒状のアーム１２は、長さ１５０ｍｍ、横幅１５ｍｍ、縦幅１０ｍｍ程度でよく、前記棒状アーム内側に強度を強くするため２５ｍｍ間隔で補強板を縦に入れ、前記棒状アーム１２は物を吊るフック１３を有し、前記棒状アーム１２上側に形成された物干し竿を乗せる凸片１４は、長さ３ｍｍ、高さ５ｍｍ、横幅８ｍｍ程度でよく、前記棒状アーム１２上側に形成された受け皿１５は、長さ１３ｍｍ、高さ８ｍｍ、横幅８ｍｍ程度で半弧型をしており、前記棒状アーム先端に物を吊る直径２０ｍｍ程度の孔１６があり、孔１６には吊り荷の取手を通す切れ目１７を空けることにより壁面１から遠く離れて物を吊る空間が確保出来る吸盤付物掛け具となる。
【００１３】
次に本考案になる吸盤付物掛け具の使用例を説明する。
図３に示す様に、壁面１に打ち付けられたフックや釘１１を吸入吸盤の硬質カバー２の外周縁部に設けられた吊り下げ片９の孔１０に通し、吸入吸盤を壁面１に吊るして起倒自在のフック体８を回動すると、連結ピン６を介してして吸盤３の背面に突設された連結杆４を引き上げ吸盤３が壁面１に密着されて吸着状態となる。
図４に示した例では、前記起倒自在のフック体８を回動することにより、前記フック体８のカム片７前側に固着した棒状アーム１２は壁面に垂直の状態となって、前記棒状アーム１２に有したフック１３や、前記棒状アーム１２の先端に空いた孔１６は壁面１から遠く離れて物を吊る空間を確保することができる。
【図面の簡単な説明】
【００１４】
【図１】本考案の実施例となる硬質カバー部分の斜視図
【図２】本考案の実施例となる吸盤付物掛け具の平面図
【図３】本考案の実施例となる吸盤付物掛け具の使用例側面図
【図４】本考案の他の実施例の棒状のアーム使用例図
【符号の説明】
【００１５】
１  壁面
２  硬質カバー
３  吸盤
４  連結杆
５  連結杆を通す孔
６  連結ピン
７  フック体のカム片
８  フック体
９  吊り下げ片
１０  吊り下げ片の孔や溝
１１  壁面などに設置されたフックや釘
１２  カム片に接着された棒状のアーム
１３  棒状のアームに有したフック
１４  棒状のアーム上側に形成された凸片
１５  棒状のアーム上側に形成された受け皿
１６  棒状アーム先端の孔
１７  棒状アーム先端の孔に開いた切れ目
【図１】
0003114357.tif 000003
【図２】
0003114357.tif 000004
【図３】
0003114357.tif 000005
【図４】
0003114357.tif 000006